(57)【要約】  ユーザ機器（ＵＥ）が、第２の無線アクセス技術（ＲＡＴ）の基地局（ＢＳ）によってサービスされながら第１のＲＡＴのＢＳにハンドオーバまたは関連している間に、ＵＥのデータベアラをルーティングするための方法および装置を開示する。異種ＲＡＴの基地局間のデータベアラのオフローディングとルーティングとを制御するために使用されるＸｗインターフェースを開示する。また、Ｘｗインターフェースの使用を示すコールフローと、Ｘｗインターフェースを使用する装置とを開示する。
2016539546.tif 000002
【特許請求の範囲】
【請求項１】
第１の無線アクセス技術（ＲＡＴ）のワイヤレス通信のための装置であって、
第２のＲＡＴの第１の基地局によってサービスされるユーザ機器（ＵＥ）のために構成された複数のデータベアラを識別することと、
前記第２のＲＡＴの第２の基地局を識別する測定値報告を前記ＵＥから受信することと、
前記測定値報告に基づいて、前記第２のＲＡＴの前記第２の基地局にオフロードすべき前記データベアラのうちの１つまたは複数を識別することと、
前記識別されたデータベアラを前記第２のＲＡＴの前記第２の基地局にオフロードするために前記第２のＲＡＴの前記第１の基地局および前期第２の基地局と通信することと、
前記識別されたベアラを送信および受信するために前記第２のＲＡＴの前記第２の基地局を使用するように前記ＵＥを構成することと
を行うように構成されたプロセッサと、
前記プロセッサに結合されたメモリと
を備える装置。
【請求項２】
前記第２のＲＡＴの前記第１の基地局と通信することが、前記第２のＲＡＴの前記第１の基地局への前記識別されたベアラのオフローディングを停止するために、前記第２のＲＡＴの前記第１の基地局にベアラ変更メッセージを送ることを備える、請求項１に記載の装置。
【請求項３】
前記第２のＲＡＴの前記第２の基地局と通信することが、前記第２のＲＡＴの前記第２の基地局にベアラのセットをオフロードするために初期ベアラメッセージを送ることを備える、請求項１に記載の装置。
【請求項４】
オフロードすべき前記１つまたは複数のデータベアラを前記識別することが、前記第２のＲＡＴの前記第１の基地局における負荷と、前記第２のＲＡＴの前記第２の基地局における負荷と、前記測定値報告中の受信信号品質とに基づいて、１つまたは複数のデータベアラを識別することを備える、請求項１に記載の装置。
【請求項５】
前記測定値報告は、前記ＵＥが前記第２のＲＡＴの前記第２の基地局に関連付けられていることを示す、請求項１に記載の装置。
【請求項６】
前記測定値報告は、前記ＵＥがもはや前記第２のＲＡＴの前記第１の基地局に関連付けられていないことを示す、請求項１に記載の装置。
【請求項７】
前記プロセッサが、
直接インターフェースを通して前記第２のＲＡＴの前記第１の基地局または前記第２のＲＡＴの前記第２の基地局からリソースおよび性能メトリックおよび統計値を受信すること
を行うようにさらに構成された、請求項１に記載の装置。
【請求項８】
前記リソースおよび性能メトリックが、
前記装置のハードウェア負荷、
前記第２のＲＡＴの前記第１の基地局のハードウェア負荷、および
前記第２のＲＡＴの前記第２の基地局のハードウェア負荷
のうちの少なくとも１つを備える、請求項７に記載の装置。
【請求項９】
前記プロセッサが、
前記第２のＲＡＴの前記第１の基地局または前記第２のＲＡＴの前記第２の基地局の受信バッファのアンダーフローとオーバーフローとを低減するために、前記装置においてフロー制御を使用すること
を行うようにさらに構成された、請求項１に記載の装置。
【請求項１０】
前記プロセッサが、
任意の時間インスタンスにおいてフォワーディングされるべきデータの量を決定するために前記第２のＲＡＴの前記第２の基地局の性能メトリックおよび統計値を利用すること
を行うようにさらに構成された、請求項９に記載の装置。
【請求項１１】
フォワーディングされるべきデータの前記量を決定することが周期的に実行される、請求項１０に記載の装置。
【請求項１２】
フォワーディングされるべきデータの前記量を決定することが、前記第２のＲＡＴの前記第２の基地局から指示を受信したことに基づいて実行される、請求項１０に記載の装置。
【請求項１３】
前記プロセッサが、
任意の時間インスタンスにおいてフォワーディングされるべきデータの前記量を決定するために前記ＵＥの性能メトリックおよび統計値を利用すること
を行うようにさらに構成された、請求項９に記載の装置。
【請求項１４】
前記第１のＲＡＴと前記第２のＲＡＴとが同じＲＡＴを備える、請求項１に記載の装置。
【請求項１５】
第１の無線アクセス技術（ＲＡＴ）のワイヤレス通信のための装置であって、
ユーザ機器（ＵＥ）から、前記第１のＲＡＴのターゲット基地局を識別する測定値報告を受信することと、
前記ＵＥが第２のＲＡＴの基地局と相互作用していると決定することと、
前記ターゲット基地局にハンドオーバ要求を送ることと、前記ハンドオーバ要求が、前記第２のＲＡＴの前記基地局と、前記第２のＲＡＴの前記基地局によってサービスされる前記ＵＥのために構成された少なくとも１つのデータベアラとを識別する情報を含む、
前記第２のＲＡＴの前記基地局と相互作用し続けながら前記ターゲット基地局にハンドオーバするように前記ＵＥを構成することと、
前記ハンドオーバが完了するまで、前記識別された少なくとも１つのデータベアラのためのデータを前記ターゲット基地局にフォワーディングすることと、
前記基地局が前記識別された少なくとも１つのデータベアラのためのデータを前記ターゲット基地局にフォワーディングすることを終了するという指示を前記ターゲット基地局に送ることと
を行うように構成されたプロセッサと、
前記プロセッサに結合されたメモリと
を備える装置。
【請求項１６】
前記少なくとも１つのデータベアラのための前記ＵＥからのデータが前記第２のＲＡＴの前記基地局を介して受信される、請求項１５に記載の装置。
【請求項１７】
前記少なくとも１つのデータベアラのための前記ＵＥへのデータがコアネットワークから受信される、請求項１５に記載の装置。
【請求項１８】
前記識別された少なくとも１つのデータベアラが、前記第２のＲＡＴの前記基地局によってサービスされるように構成された前記ＵＥからのデータベアラと前記ＵＥへのデータベアラの両方を備える、請求項１５に記載の装置。
【請求項１９】
前記第１のＲＡＴと前記第２のＲＡＴとが同じＲＡＴを備える、請求項１６に記載の装置。
【請求項２０】
第１の無線アクセス技術（ＲＡＴ）のワイヤレス通信のための装置であって、
前記第１のＲＡＴのソース基地局から、ユーザ機器（ＵＥ）をハンドオーバしたいというハンドオーバ要求を受信することと、前記ハンドオーバ要求が、第２のＲＡＴの基地局と、前記第２のＲＡＴの前記基地局によってサービスされる前記ＵＥのために構成された少なくとも１つのデータベアラとを識別する情報を含む、
前記ハンドオーバが完了するまで、前記ソース基地局から前記識別された少なくとも１つのデータベアラのためのデータを受信することと、
前記少なくとも１つの識別されたデータベアラをオフロードしたいという要求を前記第２のＲＡＴの前記基地局に送ることと
を行うように構成されたプロセッサと、
前記プロセッサに結合されたメモリと
を備える装置。
【請求項２１】
オフロードしたいという前記要求が、前記ハンドオーバ要求を受信した後に送られる、請求項２０に記載の装置。
【請求項２２】
オフロードしたいという前記要求は、前記識別された少なくとも１つのデータベアラが前記第１のＲＡＴの前記ソース基地局に切り替えられた後に送られる、請求項２０に記載の装置。
【請求項２３】
オフロードしたいという前記要求は、前記識別された少なくとも１つのデータベアラのためのデータパケットのステータス転送が前記ソース基地局から受信された後に送られる、請求項２０に記載の装置。
【請求項２４】
前記少なくとも１つのデータベアラが前記ＵＥからのデータベアラと前記ＵＥへのデータベアラの両方を備える、請求項２０に記載の装置。
【請求項２５】
前記プロセッサが、
コアネットワークから発生したデータベアラのための前記受信されたデータを前記ソース基地局から前記第２のＲＡＴの前記基地局にフォワーディングすること
を行うようにさらに構成された、請求項２０に記載の装置。
【請求項２６】
前記プロセッサが、
前記ソース基地局を介して前記コアネットワークから停止するようにとの指示を受信したことに応答して、前記フォワーディングすることを停止すること
を行うようにさらに構成された、請求項２５に記載の装置。
【請求項２７】
前記プロセッサが、
前記ＵＥから発生した前記識別された少なくとも１つのデータベアラのための前記受信されたデータを前記ソース基地局からコアネットワークにフォワーディングすること
を行うようにさらに構成された、請求項２０に記載の装置。
【請求項２８】
前記第１のＲＡＴと前記第２のＲＡＴとが同じＲＡＴを備える、請求項２０に記載の装置。
【請求項２９】
第１の無線アクセス技術（ＲＡＴ）の基地局（ＢＳ）によるワイヤレス通信のための方法であって、
第２のＲＡＴの第１の基地局によってサービスされるユーザ機器（ＵＥ）のために構成された複数のデータベアラを識別することと、
前記第２のＲＡＴの第２の基地局を識別する測定値報告を前記ＵＥから受信することと、
前記測定値報告に基づいて、前記第２のＲＡＴの前記第２の基地局にオフロードすべき前記データベアラのうちの１つまたは複数を識別することと、
前記識別されたデータベアラを前記第２のＲＡＴの前記第２の基地局にオフロードするために前記第２のＲＡＴの前記第１の基地局および前期第２の基地局と通信することと、
前記識別されたベアラを送信および受信するために前記第２のＲＡＴの前記第２の基地局を使用するように前記ＵＥを構成することと
を備える方法。
【請求項３０】
前記第１のＲＡＴと前記第２のＲＡＴとが同じＲＡＴを備える、請求項２９に記載の方法。
【発明の詳細な説明】
【技術分野】
【０００１】
関連出願の相互参照
[0001]本特許出願は、それらの全体がともに参照により本明細書に明確に組み込まれる、２０１３年１０月１８日に出願された米国仮出願第６１／８９２，９７１号、および２０１４年９月１７日に出願された米国特許出願第１４／４８９，１２２号の優先権を主張する。
【０００２】
[0002]本開示のいくつかの態様は、一般にワイヤレス通信に関し、より詳細には、ユーザ機器（ＵＥ）が、第２の無線アクセス技術（ＲＡＴ：radio access technology）の基地局（ＢＳ）によってサービスされながら第１のＲＡＴのＢＳにハンドオーバまたは関連している間に、ＵＥのデータベアラをルーティングするための技法に関する。
【背景技術】
【０００３】
[0003]ワイヤレス通信システムは、音声、データなど、様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、第３世代パートナーシッププロジェクト（３ＧＰＰ（登録商標）：3rd Generation Partnership Project）ロングタームエボリューション（ＬＴＥ（登録商標））システム、ロングタームエボリューションアドバンスト（ＬＴＥ−Ａ）システム、および直交周波数分割多元接続（ＯＦＤＭＡ）システムがある。
【０００４】
[0004]概して、ワイヤレス多元接続通信システムは、複数のワイヤレス端末のための通信を同時にサポートすることができる。各端末は、順方向リンクおよび逆方向リンク上での伝送によって１つまたは複数の基地局と通信する。順方向リンク（またはダウンリンク）は基地局から端末への通信リンクを指し、逆方向リンク（またはアップリンク）は端末から基地局への通信リンクを指す。この通信リンクは、単入力単出力、多入力単出力または多入力多出力（ＭＩＭＯ）システムを介して確立され得る。
【０００５】
[0005]ワイヤレス通信技術が進歩するにつれて、ますます多くの異なる無線アクセス技術が利用されている。たとえば、現在、多くの地理的エリアが複数のワイヤレス通信システムによってサービスされており、ワイヤレス通信システムの各々は、１つまたは複数の異なるエアインターフェース技術を利用することができる。そのようなネットワーク環境におけるワイヤレス端末の汎用性を高めるために、最近、複数の無線技術の下で動作することができるマルチモードワイヤレス端末に対する志向が高まっている。たとえば、マルチモード実装により、端末は、ある地理的エリアにおいて、各々が異なる無線インターフェース技術を利用し得る複数のシステムの中からあるシステムを選択し、その後、１つまたは複数の選択されたシステムと通信することが可能になり得る。
【０００６】
[0006]場合によっては、そのようなシステムは、ワイヤレスワイドエリアネットワーク（ＷＷＡＮ）などの１つのネットワークからワイヤレスローカルエリアネットワーク（ＷＬＡＮ）などの第２のネットワークにトラフィックがオフロードされることを可能にし得る。
【発明の概要】
【０００７】
[0007]本開示のいくつかの態様は、第１の無線アクセス技術（ＲＡＴ）の基地局（ＢＳ）によって実行されるワイヤレス通信のための方法を提供する。本方法は、概して、第２のＲＡＴの第１の基地局によってサービスされるユーザ機器（ＵＥ）のために構成された複数のデータベアラを識別することと、第２のＲＡＴの第２の基地局を識別する測定値報告をＵＥから受信することと、測定値報告に基づいて、第２のＲＡＴの第２の基地局にオフロードすべきデータベアラのうちの１つまたは複数を識別することと、識別されたデータベアラを第２のＲＡＴの第２の基地局にオフロードするために第２のＲＡＴの第１の基地局および第２の基地局と通信することと、識別されたベアラを送信および受信するために第２のＲＡＴの第２の基地局を使用するようにＵＥを構成することとを含む。
【０００８】
[0008]本開示のいくつかの態様は、第１の無線アクセス技術（ＲＡＴ）の基地局（ＢＳ）によって実行されるワイヤレス通信のための方法を提供する。本方法は、概して、第１のＲＡＴのターゲット基地局を識別する測定値報告をユーザ機器（ＵＥ）から受信することと、ＵＥが第２のＲＡＴの基地局と相互作用していると決定することと、ターゲット基地局にハンドオーバ要求を送ることと、ハンドオーバ要求が、第２のＲＡＴの基地局と、第２のＲＡＴの基地局によってサービスされるＵＥのために構成された少なくとも１つのデータベアラとを識別する情報を含む、第２のＲＡＴの基地局と相互作用し続けながらターゲット基地局にハンドオーバするようにＵＥを構成することと、ハンドオーバが完了するまで、識別された少なくとも１つのデータベアラのためのデータをターゲット基地局にフォワーディングすることと、基地局が識別された少なくとも１つのデータベアラのためのデータをターゲット基地局にフォワーディングすることを終了するという指示をターゲット基地局に送ることとを含む。
【０００９】
[0009]本開示のいくつかの態様は、第１の無線アクセス技術（ＲＡＴ）の基地局（ＢＳ）によって実行されるワイヤレス通信のための方法を提供する。本方法は、概して、第１のＲＡＴのソース基地局から、ユーザ機器（ＵＥ）をハンドオーバしたいというハンドオーバ要求を受信することと、ハンドオーバ要求が、第２のＲＡＴの基地局と、第２のＲＡＴの基地局によってサービスされるＵＥのために構成された少なくとも１つのデータベアラとを識別する情報を含む、ハンドオーバが完了するまで、ソース基地局から識別された少なくとも１つのデータベアラのためのデータを受信することと、少なくとも１つの識別されたデータベアラをオフロードしたいという要求を第２のＲＡＴの基地局に送ることとを含む。
【００１０】
[0010]本開示のいくつかの態様は、第１の無線アクセス技術（ＲＡＴ）のワイヤレス通信のための装置を提供する。本装置は、概して、第２のＲＡＴの第１の基地局によってサービスされるユーザ機器（ＵＥ）のために構成された複数のデータベアラを識別することと、第２のＲＡＴの第２の基地局を識別する測定値報告をＵＥから受信することと、測定値報告に基づいて、第２のＲＡＴの第２の基地局にオフロードすべきデータベアラのうちの１つまたは複数を識別することと、識別されたデータベアラを第２のＲＡＴの第２の基地局にオフロードするために第２のＲＡＴの第１の基地局および第２の基地局と通信することと、識別されたベアラを送信および受信するために第２のＲＡＴの第２の基地局を使用するようにＵＥを構成することとを行うように構成されたプロセッサと、プロセッサに結合されたメモリとを含む。
【００１１】
[0011]本開示のいくつかの態様は、第１の無線アクセス技術（ＲＡＴ）のワイヤレス通信のための装置を提供する。本装置は、概して、第１のＲＡＴのターゲット基地局を識別する測定値報告をユーザ機器（ＵＥ）から受信することと、ＵＥが第２のＲＡＴの基地局と相互作用していると決定することと、ターゲット基地局にハンドオーバ要求を送ることと、ハンドオーバ要求が、第２のＲＡＴの基地局と、第２のＲＡＴの基地局によってサービスされるＵＥのために構成された少なくとも１つのデータベアラとを識別する情報を含む、第２のＲＡＴの基地局と相互作用し続けながらターゲット基地局にハンドオーバするようにＵＥを構成することと、ハンドオーバが完了するまで、識別された少なくとも１つのデータベアラのためのデータをターゲット基地局にフォワーディングすることと、基地局が識別された少なくとも１つのデータベアラのためのデータをターゲット基地局にフォワーディングすることを終了するという指示をターゲット基地局に送ることとを行うように構成されたプロセッサと、プロセッサに結合されたメモリとを含む。
【００１２】
[0012]本開示のいくつかの態様は、第１の無線アクセス技術（ＲＡＴ）のワイヤレス通信のための装置を提供する。本装置は、概して、第１のＲＡＴのソース基地局から、ユーザ機器（ＵＥ）をハンドオーバしたいというハンドオーバ要求を受信することと、ハンドオーバ要求が、第２のＲＡＴの基地局と、第２のＲＡＴの基地局によってサービスされるＵＥのために構成された少なくとも１つのデータベアラとを識別する情報を含む、ハンドオーバが完了するまで、ソース基地局から識別された少なくとも１つのデータベアラのためのデータを受信することと、少なくとも１つの識別されたデータベアラをオフロードしたいという要求を第２のＲＡＴの基地局に送ることとを行うように構成されたプロセッサと、プロセッサに結合されたメモリとを含む。
【００１３】
[0013]本開示の様々な態様および特徴について以下でさらに詳細に説明する。
【００１４】
[0014]本開示の上記で具陳した特徴が詳細に理解され得るように、添付の図面にその一部を示す態様を参照することによって、上記で手短に要約されたより具体的な説明が得られ得る。ただし、その説明は他の等しく有効な態様に通じ得るので、添付の図面は、本開示のいくつかの典型的な態様を示し、したがって、本開示の範囲を限定するものと見なされるべきではないことに留意されたい。
【図面の簡単な説明】
【００１５】
【図１】[0015]本開示のいくつかの態様による、例示的な多元接続ワイヤレス通信システムを示す図。
【図２】[0016]本開示のいくつかの態様による、アクセスポイントおよびユーザ端末のブロック図。
【図３】[0017]本開示のいくつかの態様による、ワイヤレスデバイスにおいて利用され得る様々な構成要素を示す図。
【図４】[0018]本開示のいくつかの態様による、例示的なマルチモード移動局を示す図。
【図５】[0019]本開示のいくつかの態様による、ワイヤレスローカルエリアネットワーク（ＷＬＡＮ）および３ＧＰＰ  ｅノードＢのための基準セルラーＷＬＡＮ間相互作用アーキテクチャを示す図。
【図６】[0020]本開示のいくつかの態様による、制御プレーンのための例示的なインターフェースプロトコルアーキテクチャを示す図。
【図７】[0021]本開示のいくつかの態様による、ユーザプレーンのための例示的なインターフェースプロトコルアーキテクチャを示す図。
【図８】[0022]本開示のいくつかの態様による、初期ベアラオフロード（Initial Bearer Offload）プロシージャのための例示的なコールフローを示す図。
【図９】[0023]本開示のいくつかの態様による、ベアラオフロード変更（Modify Bearer Offload）プロシージャのための例示的なコールフローを示す図。
【図１０】[0024]本開示のいくつかの態様による、Ｗｉ−Ｆｉ（登録商標）ハンドオーバのための例示的なコールフローを示す図。
【図１１】[0025]本開示のいくつかの態様による、ＬＴＥハンドオーバのための例示的なコールフローを示す図。
【図１２】[0026]本開示のいくつかの態様による、ＵＥのために構成されたデータベアラを切り替えるための例示的な動作を示す図。
【図１３】[0027]本開示のいくつかの態様による、別の無線アクセス技術（ＲＡＴ）の基地局によってサービスされるデータベアラをもつＵＥをハンドオーバするための例示的な動作を示す図。
【図１４】[0028]本開示のいくつかの態様による、別の無線アクセス技術（ＲＡＴ）の基地局によってサービスされるデータベアラをもつＵＥをハンドオーバするための例示的な動作を示す図。
【発明を実施するための形態】
【００１６】
[0029]ワイヤレスサービスに対する需要が増加するにつれて、ネットワーク事業者は、セルラーネットワーク上の輻輳を低減するために、および事業者展開ワイヤレスローカルエリアネットワーク（ＷＬＡＮ）がしばしば十分に利用されていないので、セルラーネットワークからＷＬＡＮ、たとえば、Ｗｉ−Ｆｉ  ＷＬＡＮにユーザデバイストラフィックをオフロードすることを望み得る。しかしながら、ＵＥが過負荷のＷＬＡＮに接続するとき、ユーザのエクスペリエンスは準最適である。本開示の態様によれば、ネットワーク事業者は、どのトラフィックがＷＬＡＮを介してルーティングされ、どのトラフィックがＷＷＡＮ（たとえば、３ＧＰＰ  ＲＡＮ）上に保持されるかを制御し得る。たとえば、（たとえば、ＶｏＩＰまたは他の事業者のサービスに関係する）いくつかのデータフローは、それのＱｏＳ能力を活用するためにＷＷＡＮ上でサービスされ得るが、「ベストエフォート」インターネットトラフィックに関係するデータフローはＷＬＡＮにオフロードされ得る。本開示のいくつかの態様によれば、ネットワーク事業者が、どのネットワークトラフィックがＷＬＡＮ（たとえば、Ｗｉ−Ｆｉ  ＷＬＡＮ）を介してルーティングされ、どのトラフィックがＷＷＡＮ上に保持されるかを制御することを可能にするための、インターフェーシング方法および装置を制御するためのインターフェースが提供される。ＬＴＥとＷｉ−Ｆｉとの間のオフローディングを制御するために、Ｘｗと呼ばれるインターフェースを開示する。
【００１７】
[0030]添付の図面を参照しながら本開示の様々な態様について以下でより十分に説明する。ただし、本開示は、多くの異なる形態で実施され得、本開示全体にわたって提示する任意の特定の構造または機能に限定されるものと解釈されるべきではない。むしろ、これらの態様は、本開示が周到で完全になり、本開示の範囲を当業者に十分に伝えるように与えるものである。本明細書の教示に基づいて、本開示の範囲は、本開示の他の態様とは無関係に実装されるにせよ、本開示の他の態様と組み合わせられるにせよ、本明細書で開示する本開示のいかなる態様をもカバーするものであることを、当業者は諒解されたい。たとえば、本明細書に記載する態様をいくつ使用しても、装置は実装され得、または方法は実施され得る。さらに、本開示の範囲は、本明細書に記載する本開示の様々な態様に加えてまたはそれらの態様以外に、他の構造、機能、または構造および機能を使用して実施されるそのような装置または方法をカバーするものとする。本明細書で開示する本開示のいずれの態様も、請求項の１つまたは複数の要素によって実施され得ることを理解されたい。
【００１８】
[0031]「例示的」という単語は、本明細書では「例、事例、または例示の働きをすること」を意味するために使用する。「例示的」として本明細書で説明するいかなる態様も、必ずしも他の態様よりも好適または有利であると解釈されるべきであるとは限らない。
【００１９】
[0032]本明細書では特定の態様について説明するが、これらの態様の多くの変形および置換は本開示の範囲内に入る。好適な態様のいくつかの利益および利点について説明するが、本開示の範囲は特定の利益、使用、または目的に限定されるものではない。むしろ、本開示の態様は、様々なワイヤレス技術、システム構成、ネットワーク、および伝送プロトコルに広く適用可能であるものとし、それらのいくつかを例として、図において、および好適な態様についての以下の説明において示す。発明を実施するための形態および図面は、本開示を限定するものではなく説明するものにすぎず、本開示の範囲は添付の特許請求の範囲およびそれの均等物によって定義される。
例示的なワイヤレス通信システム
[0033]本明細書で説明する技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなど、様々なワイヤレス通信ネットワークのために使用され得る。「ネットワーク」および「システム」という用語は、しばしば互換的に使用される。ＣＤＭＡネットワークは、ユニバーサル地上波無線アクセス（ＵＴＲＡ：Universal Terrestrial Radio Access）、ＣＤＭＡ２０００などの無線技術を実装し得る。ＵＴＲＡは、広帯域ＣＤＭＡ（Ｗ−ＣＤＭＡ（登録商標））と低チップレート（ＬＣＲ）とを含む。ＣＤＭＡ２０００は、ＩＳ−２０００、ＩＳ−９５、およびＩＳ−８５６規格をカバーする。ＴＤＭＡネットワークは、モバイル通信用グローバルシステム（ＧＳＭ（登録商標）：Global System for Mobile Communications）などの無線技術を実装し得る。ＯＦＤＭＡネットワークは、発展型ＵＴＲＡ（Ｅ−ＵＴＲＡ）、ＩＥＥＥ  Ｓｔｄ８０２．１１、ＩＥＥＥ  Ｓｔｄ８０２．１６、ＩＥＥＥ  Ｓｔｄ８０２．２０、Ｆｌａｓｈ−ＯＦＤＭ（登録商標）などの無線技術を実装し得る。ＵＴＲＡ、Ｅ−ＵＴＲＡ、およびＧＳＭは、ユニバーサルモバイルテレコミュニケーションシステム（ＵＭＴＳ：Universal Mobile Telecommunication System）の一部である。ロングタームエボリューション（ＬＴＥ）は、Ｅ−ＵＴＲＡを使用するＵＭＴＳの今度のリリースである。ＵＴＲＡ、Ｅ−ＵＴＲＡ、ＧＳＭ、ＵＭＴＳ、およびＬＴＥは、「第３世代パートナーシッププロジェクト」（３ＧＰＰ）と称する団体からの文書に記載されている。ＣＤＭＡ２０００は、「第３世代パートナーシッププロジェクト２」（３ＧＰＰ２：3rd Generation Partnership Project 2）と称する団体からの文書に記載されている。
【００２０】
[0034]シングルキャリア周波数分割多元接続（ＳＣ−ＦＤＭＡ）は、送信機側でシングルキャリア変調を利用し、受信機側で周波数領域等化を利用する伝送技法である。ＳＣ−ＦＤＭＡは、ＯＦＤＭＡシステムと同様の性能および本質的に同じ全体的な複雑さを有する。ただし、ＳＣ−ＦＤＭＡ信号は、それの固有のシングルキャリア構造のためにより低いピーク対平均電力比（ＰＡＰＲ：peak-to-average power ratio）を有する。ＳＣ−ＦＤＭＡは、特に、より低いＰＡＰＲが送信電力効率の点でモバイル端末に多大な利益を与えるアップリンク通信において、大きい注目を引いている。それは現在、３ＧＰＰ  ＬＴＥおよび発展型ＵＴＲＡにおけるアップリンク多元接続方式に関する実用的な前提である。
【００２１】
[0035]アクセスポイント（「ＡＰ」）は、ノードＢ、無線ネットワークコントローラ（「ＲＮＣ」）、ｅノードＢ、基地局コントローラ（「ＢＳＣ」）、基地トランシーバ局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の用語を備えるか、それらのいずれかとして実装されるか、あるいはそれらのいずれかとして知られていることがある。
【００２２】
[0036]アクセス端末（「ＡＴ」）は、アクセス端末、加入者局、加入者ユニット、移動局、リモート局、リモート端末、ユーザ端末、ユーザエージェント、ユーザデバイス、ユーザ機器、ユーザ局、または何らかの他の用語を備えるか、それらのいずれかとして実装されるか、あるいはそれらのいずれかとして知られていることがある。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、局（「ＳＴＡ」）、またはワイヤレスモデムに接続された何らかの他の好適な処理デバイスを備え得る。したがって、本明細書で教示する１つまたは複数の態様は、電話（たとえば、セルラーフォンまたはスマートフォン）、コンピュータ（たとえば、ラップトップ）、ポータブル通信デバイス、ポータブルコンピューティングデバイス（たとえば、個人情報端末）、エンターテインメントデバイス（たとえば、音楽またはビデオデバイス、あるいは衛星ラジオ）、全地球測位システムデバイス、あるいはワイヤレスまたはワイヤード媒体を介して通信するように構成された他の好適なデバイスに組み込まれ得る。いくつかの態様では、ノードはワイヤレスノードである。そのようなワイヤレスノードは、たとえば、ワイヤードまたはワイヤレス通信リンクを介した、ネットワーク（たとえば、インターネットまたはセルラーネットワークなど、ワイドエリアネットワーク）のための、またはネットワークへの接続性を与え得る。
【００２３】
[0037]図１を参照すると、一態様による、ワイヤレスネットワークの取得を開始するための時間を低減するための説明するプロシージャが実行され得る、多元接続ワイヤレス通信システムが示されている。アクセスポイント１００（ＡＰ）は複数のアンテナグループを含み得、あるグループはアンテナ１０４と１０６とを含み、別のグループはアンテナ１０８と１１０とを含み、追加のグループはアンテナ１１２と１１４とを含む。図１では、アンテナグループごとに２つのアンテナが示されているが、アンテナグループごとにより多いまたはより少ないアンテナが利用され得る。アクセス端末１１６（ＡＴ）はアンテナ１１２および１１４と通信中であり得、ここで、アンテナ１１２および１１４は、順方向リンク１２０上でアクセス端末１１６に情報を送信し、逆方向リンク１１８上でアクセス端末１１６から情報を受信する。アクセス端末１２２はアンテナ１０６および１０８と通信中であり得、ここで、アンテナ１０６および１０８は、順方向リンク１２６上でアクセス端末１２２に情報を送信し、逆方向リンク１２４上でアクセス端末１２２から情報を受信する。ＦＤＤシステムでは、通信リンク１１８、１２０、１２４、および１２６は、通信のために異なる周波数を使用し得る。たとえば、順方向リンク１２０は、逆方向リンク１１８によって使用されるもの次いで異なる周波数を使用し得る。
【００２４】
[0038]アンテナの各グループ、および／またはアンテナが通信するように設計されたエリアは、しばしば、アクセスポイントのセクタと呼ばれる。本開示の一態様では、各アンテナグループは、アクセスポイント１００によってカバーされるエリアのセクタ中のアクセス端末に通信するように設計され得る。
【００２５】
[0039]順方向リンク１２０および１２６上の通信では、アクセスポイント１００の送信アンテナは、異なるアクセス端末１１６および１２２のための順方向リンクの信号対雑音比を改善するためにビームフォーミングを利用し得る。また、アクセスポイントが、それのカバレージを介してランダムに分散されたアクセス端末に送信するためにビームフォーミングを使用するほうが、アクセスポイントが単一のアンテナを介してすべてのそれのアクセス端末に送信するよりも、ネイバリングセル中のアクセス端末への干渉が小さくなる。
【００２６】
[0040]図２に、多入力多出力（ＭＩＭＯ）システム２００における送信機システム２１０（アクセスポイントとしても知られる）および受信機システム２５０（アクセス端末としても知られる）の態様のブロック図を示す。送信機システム２１０において、いくつかのデータストリームのトラフィックデータがデータソース２１２から送信（ＴＸ）データプロセッサ２１４に与えられる。
【００２７】
[0041]本開示の一態様では、各データストリームはそれぞれの送信アンテナを介して送信され得る。ＴＸデータプロセッサ２１４は、コード化データを与えるために、各データストリームのトラフィックデータを、そのデータストリームのために選択された特定のコーディング方式に基づいてフォーマットし、コーディングし、インターリーブする。
【００２８】
[0042]各データストリームのためのコード化データは、ＯＦＤＭ技法を使用してパイロットデータと多重化され得る。パイロットデータは、一般に、知られている方法で処理される知られているデータパターンであり、チャネル応答を推定するために受信機システムにおいて使用され得る。各データストリームの多重化されたパイロットデータおよびコード化データは、次いで、変調シンボルを与えるために、そのデータストリームのために選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）される。各データストリームのためのデータレート、コーディング、および変調は、プロセッサ２３０によって実行される命令によって決定され得る。メモリ２３２は、送信機システム２１０のためのデータとソフトウェアとを記憶し得る。
【００２９】
[0043]次いで、すべてのデータストリームの変調シンボルがＴＸ  ＭＩＭＯプロセッサ２２０に与えられ、ＴＸ  ＭＩＭＯプロセッサ２２０はさらに（たとえば、ＯＦＤＭの場合）その変調シンボルを処理し得る。ＴＸ  ＭＩＭＯプロセッサ２２０は、次いで、ＮT個の変調シンボルストリームをＮT個の送信機（ＴＭＴＲ）２２２ａ〜２２２ｔに与える。本開示のいくつかの態様では、ＴＸ  ＭＩＭＯプロセッサ２２０は、データストリームのシンボルと、シンボルがそこから送信されているアンテナとにビームフォーミング重みを適用する。
【００３０】
[0044]各送信機２２２は、１つまたは複数のアナログ信号を与えるためにそれぞれのシンボルストリームを受信および処理し、さらに、ＭＩＭＯチャネルを介した送信に適した被変調信号を与えるためにアナログ信号を調整（たとえば、増幅、フィルタ処理、およびアップコンバート）する。送信機２２２ａ〜２２２ｔからのＮT個の被変調信号は、次いで、それぞれＮT個のアンテナ２２４ａ〜２２４ｔから送信される。
【００３１】
[0045]受信機システム２５０において、送信された被変調信号はＮR個のアンテナ２５２ａ〜２５２ｒによって受信され得、各アンテナ２５２からの受信信号は、それぞれの受信機（ＲＣＶＲ）２５４ａ〜２５４ｒに与えられ得る。各受信機２５４は、それぞれの受信信号を調整（たとえば、フィルタ処理、増幅、およびダウンコンバート）し、サンプルを与えるために調整された信号をデジタル化し、さらに、対応する「受信」シンボルストリームを与えるためにそれらのサンプルを処理し得る。
【００３２】
[0046]次いで、ＲＸデータプロセッサ２６０が、ＮR個の受信機２５４からＮR個の受信シンボルストリームを受信し、ＮT個の「検出」シンボルストリームを与えるために特定の受信機処理技法に基づいて処理する。ＲＸデータプロセッサ２６０は、次いで、データストリームのトラフィックデータを復元するために、各検出シンボルストリームを復調、デインターリーブ、および復号する。ＲＸデータプロセッサ２６０による処理は、送信機システム２１０におけるＴＸ  ＭＩＭＯプロセッサ２２０およびＴＸデータプロセッサ２１４によって実行される処理を補足するものであり得る。
【００３３】
[0047]プロセッサ２７０は、どのプリコーディング行列を使用すべきかを周期的に決定する。プロセッサ２７０は、行列インデックス部分とランク値部分とを備える逆方向リンクメッセージを構築する。メモリ２７２は、受信機システム２５０のためのデータとソフトウェアとを記憶し得る。逆方向リンクメッセージは、通信リンクおよび／または受信データストリームに関する様々なタイプの情報を備え得る。逆方向リンクメッセージは、次いで、データソース２３６からいくつかのデータストリームのトラフィックデータをも受信するＴＸデータプロセッサ２３８によって処理され、変調器２８０によって変調され、送信機２５４ａ〜２５４ｒによって調整され、送信機システム２１０に返信される。
【００３４】
[0048]送信機システム２１０において、受信機システム２５０からの被変調信号は、受信機システム２５０によって送信された逆方向リンクメッセージを抽出するために、アンテナ２２４によって受信され、受信機２２２によって調整され、復調器２４０によって復調され、ＲＸデータプロセッサ２４２によって処理される。プロセッサ２３０は、次いで、ビームフォーミング重みを決定するためにどのプリコーディング行列を使用すべきかを決定し、次いで、抽出されたメッセージを処理する。
【００３５】
[0049]図３に、図１に示されたワイヤレス通信システム内で採用され得るワイヤレスデバイス３０２において利用され得る様々な構成要素を示す。ワイヤレスデバイス３０２は、本明細書で説明する様々な方法を実装するために構成され得るデバイスの一例である。ワイヤレスデバイス３０２は、基地局１００、またはユーザ端末１１６および１２２のいずれかであり得る。
【００３６】
[0050]ワイヤレスデバイス３０２は、ワイヤレスデバイス３０２の動作を制御するプロセッサ３０４を含み得る。プロセッサ３０４は中央処理ユニット（ＣＰＵ）と呼ばれることもある。読取り専用メモリ（ＲＯＭ）とランダムアクセスメモリ（ＲＡＭ）の両方を含み得るメモリ３０６は、命令とデータとをプロセッサ３０４に与える。メモリ３０６の一部は不揮発性ランダムアクセスメモリ（ＮＶＲＡＭ）をも含み得る。プロセッサ３０４は、一般に、メモリ３０６内に記憶されたプログラム命令に基づいて論理演算と算術演算とを実行する。プロセッサ３０４は、本明細書で説明し、図１２〜図１４に示す方法を実行する際にワイヤレスデバイス３０２の動作を指示し得る。メモリ３０６中の命令は、本明細書で説明し、図１２〜図１４に示す方法を実装するように実行可能であり得る。
【００３７】
[0051]ワイヤレスデバイス３０２はまた、ワイヤレスデバイス３０２と遠隔ロケーションとの間のデータの送信および受信を可能にするために送信機３１０と受信機３１２とを含み得るハウジング３０８を含み得る。送信機３１０と受信機３１２とは組み合わせられてトランシーバ３１４になり得る。単一の送信アンテナ３１６または複数の送信アンテナ３１６が、ハウジング３０８に取り付けられ、トランシーバ３１４に電気的に結合され得る。ワイヤレスデバイス３０２はまた、複数の送信機と、複数の受信機と、複数のトランシーバとを含み得る（図示せず）。
【００３８】
[0052]ワイヤレスデバイス３０２はまた、トランシーバ３１４によって受信された信号のレベルを検出し、定量化するために使用され得る信号検出器３１８を含み得る。信号検出器３１８は、そのような信号を、総エネルギー、シンボルごとのサブキャリア当たりのエネルギー、電力スペクトル密度、および他の信号として検出し得る。ワイヤレスデバイス３０２は、信号を処理する際に使用するデジタル信号プロセッサ（ＤＳＰ）３２０をも含み得る。
【００３９】
[0053]ワイヤレスデバイス３０２の様々な構成要素は、データバスに加えて、電力バスと、制御信号バスと、ステータス信号バスとを含み得る、バスシステム３２２によって互いに結合され得る。
【００４０】
[0054]加入者にとって利用可能なサービスを拡張するために、いくつかの移動局（ＭＳ）は、複数の無線アクセス技術（ＲＡＴ）を用いた通信をサポートし得る。たとえば、図４に示すように、マルチモードＭＳ４１０は、ブロードバンドデータサービスのためのＬＴＥと音声サービスのための符号分割多元接続（ＣＤＭＡ）とをサポートし得る。例示的に、ＬＴＥは第１のＲＡＴ４２０1として示され、ＣＤＭＡは第２のＲＡＴ４２０2として示され、Ｗｉ−Ｆｉは第３のＲＡＴ４２２1として示されている。
【００４１】
[0055]いくつかの適用例では、マルチＲＡＴインターフェース論理４３０が、長距離ＲＡＴと短距離ＲＡＴとの両方の間で情報を交換するために使用され得る。これは、ネットワークプロバイダが、マルチモードＭＳ４１０のエンドユーザがどのように（どのＲＡＴを介して）実際にネットワークに接続するかを制御することを可能にし得る。インターフェース論理４３０は、たとえば、ローカルＩＰ接続性またはコアネットワークへのＩＰ接続性をサポートし得る。
【００４２】
[0056]たとえば、ネットワークプロバイダは、利用可能なとき、短距離ＲＡＴを介してネットワークに接続するようにマルチモードＭＳに指示することが可能であり得る。この能力は、ネットワークプロバイダが、特定のエアリソースの輻輳を緩和する様式でトラフィックをルーティングすることを可能にし得る。実際に、ネットワークプロバイダは、短距離ＲＡＴを使用して、（長距離ＲＡＴの）あるエアトラフィックをワイヤラインネットワークに分散させるか、またはあるエアトラフィックを、輻輳したワイヤレスネットワークからあまり輻輳していないワイヤレスネットワークに分散させ得る。モバイルユーザが速度を短距離ＲＡＴに好適でないあるレベルまで増加させたときなど、状況が要求するとき、トラフィックは短距離ＲＡＴから再ルーティングされ得る。
【００４３】
[0057]さらに、長距離ＲＡＴは、一般に、数キロメートルにわたってサービスを与えるように設計されるので、長距離ＲＡＴを使用するときのマルチモードＭＳからの送信の電力消費は重要である。対照的に、短距離ＲＡＴ（たとえば、Ｗｉ−Ｆｉ）は、数百メートルにわたってサービスを与えるように設計される。したがって、利用可能なときに短距離ＲＡＴを利用することにより、マルチモードＭＳ４１０による電力消費はより少なくなり、したがって、バッテリー寿命がより長くなり得る。
【００４４】
[0058]図５に、本開示の態様が利用され得る、ワイヤレスローカルエリアネットワーク（ＷＬＡＮ）アクセスポイント（ＡＰ）５０２、３ＧＰＰ  ｅノードＢ５０４、コアネットワーク５０６、およびＵＥ５０８のための基準セルラーＷＬＡＮ間相互作用アーキテクチャ５００を示す。アーキテクチャは、３ＧＰＰシステムとＷＬＡＮシステムとの間の相互作用機能の一実施形態である。これは、３ＧＰＰ加入者によるＷＬＡＮアクセスサービスの使用を可能にする。図５中のＵＥは、単一のＷＬＡＮインターフェース（たとえば、ＷＬＡＮ通信が可能なトランシーバ）を有する。
【００４５】
[0059]図５に示されているように、ＵＥは、ワイドエリアワイヤレス（たとえば、ＬＴＥ、ＵＴＲＡＮ、ＧＥＲＡＮなど）ネットワークを介してｅＮＢまたは他のＢＳによって、およびローカルエリアワイヤレス（たとえば、Ｗｉ−Ｆｉ）ネットワークを介してＷＬＡＮ  ＡＰまたは他のＢＳによってサービスされ得る。図５はｅＮＢを示しているが、ワイドエリアネットワークのＢＳは、ＵＴＲＡＮノードＢ、Ｅ−ＵＴＲＡＮ  ｅノードＢ、アクセスポイント、またはワイドエリアワイヤレスネットワークをサポートする他の無線ノードであり得る。同様に、ローカルエリアネットワークのＢＳは、フェムトノードなどの低電力Ｅ−ＵＴＲＡＮ  ｅノードＢ、ＷＬＡＮ  ＡＰ、またはローカルエリアワイヤレスネットワークをサポートする他の無線ノードであり得る。ＵＥ５０８は、Ｅ−ＵＴＲＡ−Ｕｕインターフェースを介してワイドエリアネットワーク（たとえば、ｅＮＢ）のＢＳと通信し、Ｗｉ−Ｆｉを介してローカルエリアネットワーク（たとえば、ＷＬＡＮ  ＡＰ）のＢＳと通信し得る。ワイドエリアネットワーク５０４のＢＳと通信する際に、ＵＥは、Ｅ−ＵＴＲＡ−Ｕｕインターフェースを介して１つまたは複数の接続５１６を確立し得る。同様に、ローカルエリアネットワーク５０２のＢＳと通信する際に、ＵＥは１つまたは複数の接続５１８を確立し得る。
【００４６】
[0060]いくつかの態様によれば、ワイドエリアネットワークのＢＳは、Ｓ１−ＭＭＥインターフェースを介してコアネットワーク中のモビリティ管理エンティティ（ＭＭＥ：mobility management entity）５１０と通信し、Ｓ１−Ｕインターフェースを介してサービングゲートウェイ（ＳＧＷ：serving gateway）５１２と通信し得る。ローカルエリアネットワークのＢＳは、Ｓ２ａおよび／またはＳ２ｂインターフェースを介してコアネットワーク中の発展型パケットデータゲートウェイ（ｅＰＤＧ：evolved packet data gateway）またはトラステッドワイヤレスアクセスゲートウェイ（ＴＷＡＧ：trusted wireless access gateway）と通信し得る。ＭＭＥは、Ｓ６ａインターフェースを介してホーム加入者サーバ（ＨＳＳ：home subscriber server）５１４と通信し、Ｓ１１インターフェースを介してサービングゲートウェイと通信し得る。ＳＧＷは、Ｓ５インターフェースを介してパケットゲートウェイ（ＰＧＷ：packet gateway）５１６と通信し得る。ＰＧＷは、ＳＧｉインターフェースを介してインターネットエンティティと通信し得る。
【００４７】
[0061]本開示のいくつかの態様によれば、ワイドエリアネットワーク５０４のＢＳは、本明細書で説明するように、Ｘｗインターフェースを介してローカルエリアネットワーク５０２のＢＳと通信し得る。
【００４８】
[0062]いくつかの態様によれば、ＲＡＮアグリゲーションを用いて、ユーザは、図５に示されているように、ユーザのシグナリングとデータトラフィックとをトランスポートする無線アクセスリンクを与える、ＬＴＥ  ｅＮＢとＷＬＡＮ  ＡＰ（たとえば、Ｗｉ−Ｆｉ  ＡＰ）とに同時に接続され得る。ｅＮＢとＡＰとは、論理的にコロケートされることもコロケートされないこともある。ユーザのデータベアラまたはシグナリングベアラはＬＴＥ無線リンクまたはＷｉ−Ｆｉ無線リンクのいずれかによってサービスされ得る。データベアラは、２つのエンドポイント間でトラフィックが送られ得るように、それらの間に「仮想」接続を確立する。それは、２つのエンドポイント間のパイプラインとして働く。
【００４９】
[0063]ＵＥは、概してパッシブスキャニングとアクティブスキャニングとを含む、ＩＥＥＥ  Ｓｔｄ８０２．１１において規定されているスキャニングプロシージャを実行することによって、ＷＬＡＮ  ＡＰに気づき得る。ＵＥは、受信機をオンにしたままＷＬＡＮビーコンの受信を待つので、ＩＥＥＥ  Ｓｔｄ８０２．１１において定義されているパッシブスキャニングは、ＵＥにとって非効率的であり得る。ビーコン送信間隔は約１００ミリ秒であるので、数十の可能なＷＬＡＮチャネル上のＷＬＡＮビーコンについてのパッシブスキャニングにより、スキャンエネルギーが高くなり、スキャンレイテンシが高くなり得る。アクティブスキャンはより速くなり得るが、ＷＬＡＮにトラフィック、すなわち、プローブ要求とプローブ応答とを追加する。アクティブスキャニングはまた、電力集約的である。
【００５０】
[0064]ＩＥＥＥ  Ｓｔｄ８０２．１１ｕは、ＵＥがＡＰに関連付けられることなしに、ＡＰに関するさらなる情報を発見するための追加の機構を定義している。たとえば、一般広告サービス（ＧＡＳ：generic advertisement service）が、ネットワーク中のＵＥとサーバとの間での広告プロトコルのフレームのトランスポートを与え得る。ＡＰは、キャリアのネットワーク中のサーバへのモバイルデバイスのクエリのリレーと、サーバの応答をモバイルに配信することとを担当し得る。別の機構の例としては、概して、ホットスポット事業者のドメイン名と、認証のためにサポートされたそれらの証明タイプおよびＥＡＰ方法とともにホットスポットを介してアクセス可能なローミングパートナーと、ＩＰアドレスタイプ利用可能性と、ＵＥのネットワーク選択プロセスにおいて有用な他のメタデータとを含む、一般広告サービス（ＧＡＳ）を介してトランスポートされるＡＰからのＵＥ／ＳＴＡによるアクセスネットワーク情報検索のためのクエリ広告プロトコルである、アクセスネットワーククエリプロトコル（ＡＮＱＰ：access network query protocol）がある。
【００５１】
[0065]ＵＥは、測定値を与えるためにＷＬＡＮ  ＡＰに関連しなくてもよいことがある。ＵＥは、ＩＥＥＥ  Ｓｔｄ８０２．１１ｋ、ＩＥＥＥ  Ｓｔｄ８０２．１１ｕおよびＨｏｔｓｐｏｔ２．０において定義されている追加のプロシージャのサブセットをサポートし得る。無線アクセスネットワーク（ＲＡＮ）に関して、図５に示されているようなＡＰとｅノードＢとの間のインターフェースがないことがある。これが事業者制御ＷＬＡＮ  ＡＰに対して動作することが予想されても、負荷情報またはネイバー情報がバックホールを介して交換されることは予想されない。しかしながら、コロケートされたＡＰおよびｅノードＢの場合、ＡＰに関するＩＥＥＥ  Ｓｔｄ８０２．１１ｋ、ＩＥＥＥ  Ｓｔｄ８０２．１１ｕ、およびＨｏｔｓｐｏｔ２．０情報が（たとえば、バックホールリンクを介して）ｅノードＢにおいて知られ得、ＵＥは、情報を取得するためにＡＮＱＰを実行しなくてもよいことがある。高効率パッシブスキャニングが可能にされたとき、ＡＰは、ＲＡＮによって広告された時間にＡＰのビーコンを送信し得る。言い換えれば、ＡＰは、セルラータイミングおよびＳＦＮを取得し得、ＲＡＮによって広告されたビーコン送信時間を知り得る。いくつかの態様では、（たとえば、ＢＳＳＩＤに基づいて）すなわち、ビーコンのみからＡＰを識別すること、および（たとえば、コロケートされていないＡＰおよびｅＮＢの場合）ＡＮＱＰを使用して、ＩＥＥＥ  Ｓｔｄ８０２．１１ｋ、ＩＥＥＥ  Ｓｔｄ８０２．１１ｕ、またはＨｏｔｓｐｏｔ２．０識別情報を与えることという報告の２つのレベルがＡＰを識別するために使用され得る。いくつかの態様では、（図に示されてない）この情報を交換するためのバックホールインターフェースを有することが可能である。
ベアラルーティングのための基地局アクセスポイント間インターフェース
[0066]概して、事業者展開ＷＬＡＮネットワークはしばしば十分に利用されていないので、セルラーネットワークからＷＬＡＮにトラフィックをオフロードすることが望ましいことがある。しかしながら、ＵＥが過負荷のＷＬＡＮに接続するとき、ユーザエクスペリエンスは準最適である。本開示の態様は、どのトラフィックがＷＬＡＮを介してルーティングされ、どのトラフィックがＷＷＡＮ（たとえば、３ＧＰＰ  ＲＡＮ）上に保持されるかを制御するためにモバイル事業者によって利用され得る。たとえば、（たとえば、ＶｏＩＰまたは他の事業者のサービスに関係する）いくつかのデータフローは、それのＱｏＳ能力を活用するためにＷＷＡＮ上でサービスされ得るが、「ベストエフォート」インターネットトラフィックに関係するデータフローはＷＬＡＮにオフロードされ得る。
【００５２】
[0067]いくつかの態様によれば、ユーザは、図５に示されているように、ユーザのシグナリングとデータトラフィックとをトランスポートする無線アクセスリンクを与える、ＬＴＥ  ｅＮＢとＷｉ−Ｆｉ  ＡＰとに同時に接続され得る。ｅＮＢとＡＰとは論理的にコロケートされないことがあり、たとえば、ｅＮＢとＡＰとは、互いに協働し得る別々のコントローラエンティティによって制御される。場合によっては、ｅＮＢとＡＰとは論理的にコロケートされることがあり、たとえば、ｅＮＢとＡＰとは、１つの制御プロセッサなど、同じエンティティによって制御される。
【００５３】
[0068]図５に示されたＵＥなど、ＵＥのデータベアラまたはシグナリングベアラはＬＴＥ無線リンクまたはＷｉ−Ｆｉ無線リンクのいずれかによってサービスされ得る。データベアラは、２つのエンドポイント間でトラフィックが送られ得るように、それらの間に「仮想」接続を確立する。それは、２つのエンドポイント間の「パイプライン」として働く。本開示のいくつかの態様に従って、Ｘｗインターフェースと呼ばれる、ｅＮＢとＡＰとの間の直接リンク上でのＬＴＥとＷｉ−Ｆｉとの間の相互作用とデータベアラオフローディングとを可能にし、制御するための方法について説明する。相互作用を用いて、利用可能なリンクの各々の性能が、ユーザ介入なしに、リアルタイムで（たとえば、ネットワークコントローラによって）自律的に評価され得、各データベアラのための「可能な最良の」リンクが選択され得る。性能評価は、エンドツーエンドの観点から多数のパラメータを検討し得る。決定のために考慮されるパラメータのいくつかは、信号およびチャネル品質と、利用可能帯域幅と、レイテンシと、どのアプリケーションおよびサービスがＷｉ−Ｆｉに移動されることを可能にされ、どれが３ＧＰＰ  ＲＡＮに制限されるかに関する事業者ポリシーとを含み得る。
【００５４】
[0069]明快のために、以下の開示では、論理的にコロケートされたＬＴＥ機能とＷＬＡＮ  ＳＴＡ機能とをもつＵＥ（たとえば、ＬＴＥインターフェースとＷｉ−Ｆｉインターフェースとが単一のコントローラ／プロセッサによって制御される、Ｗｉ−Ｆｉ能力をもつＬＴＥモバイルフォン）に関して説明するが、本開示は、論理的にコロケートされたＬＴＥ機能とＷＬＡＮ  ＳＴＡ機能とをもつＵＥに限定されない。
【００５５】
[0070]いくつかの態様によれば、Ｘｗと呼ばれるインターフェースがｅＮＢとＷＬＡＮ  ＡＰとの間に実装され得る。Ｘｗインターフェースはユーザプレーン（Ｘｗ−Ｕ）と制御プレーン（Ｘｗ−Ｃ）とを備える。Ｘｗ−Ｕは、ｅＮＢとＷＬＡＮ  ＡＰとの間でデータパケットをフォワーディングするために使用され得、ここで、各パケットはデータベアラに属する。Ｘｗ−Ｃは、データベアラのためのインターフェース選択決定のために、モビリティのために、ならびにリソースおよび性能情報を交換するために、ｅＮＢとＷＬＡＮ  ＡＰとの間で制御メッセージを送信するために使用され得る。ＡＰがＬＴＥ  ｅＮＢであるとき、Ｘｗインターフェースの代わりに（たとえば、データパケットと制御メッセージとを通信するために）Ｘ２インターフェースが使用され得る。
【００５６】
[0071]いくつかの態様によれば、たとえば、ＡＰがコアネットワークに直接接続される場合、Ｘｗ−ＵユーザプレーンがｅＮＢとＡＰとの間に実装されることなしに、Ｘｗ−Ｃ制御プレーンがｅＮＢとＡＰとの間に実装され得る。ＡＰを介してＵＥにまたはＵＥからトランスポートされるユーザデータは、直接接続を介してコアネットワークから直接受信されるかまたはコアネットワークに直接送信され得、Ｘｗ−Ｕプレーンは必要でないことがある。
【００５７】
[0072]いくつかの態様によれば、Ｘｗ−ＵユーザプレーンがｅＮＢとＷＬＡＮ  ＡＰとの間に実装されるとき、ｅＮＢは、ＲＡＮベアラのためのアンカーポイントとして機能し、ＷＬＡＮ  ＡＰとの間でこれらのベアラのためのパケットをフォワーディングする。言い換えれば、オフロードされたベアラのためのデータのすべてがｅＮＢを介して通過し、すなわち、ＵＥからＡＰを介してｅＮＢを通過し、コアネットワーク上に送られるか、またはコアネットワークからｅＮＢを通過し、ＡＰに送られ、ＡＰによってＵＥに配信される。
【００５８】
[0073]ワイヤレスネットワーク中のＰＤＮサービスおよび関連するアプリケーションへのアクセスはＥＰＳベアラによってＵＥに与えられ得る。ＵＥのためのデフォルトベアラは、一般に、ＰＤＮへのＵＥのアタッチメント中に確立される。ＵＥのためのデフォルトベアラは、ＵＥとＰＤＮとの間の接続の存続期間全体にわたって維持され得る。これは常時オンＩＰ接続性と呼ばれることがある。ＵＥによるサービスへのアクセスまたはサービス要求のために、追加の専用ベアラが動的に確立され得る。エンドユーザが、デフォルトベアラによって与えられるものとは異なるパケットデータネットワーク（ＰＤＮ）への接続性を有する場合、またはエンドユーザが、デフォルトベアラによって提供されるものとは異なるサービス品質（ＱｏＳ）を使用する場合、専用ベアラが使用され得る。専用ベアラは、既存のデフォルトベアラと並行して動作するように構成される。
【００５９】
[0074]図６に、ＷＬＡＮ  ＡＰ５０２とｅＮＢ５０４との間のオフロード構成を管理するために使用され得る、制御プレーンのための例示的なＸｗインターフェースプロトコルアーキテクチャ６００を示す。図示のように、Ｘｗアプリケーションプロトコル（Ｘｗ−ＡＰ）レイヤ６０２は、インターネットプロトコル（ＩＰ）レイヤ６０６の上に構築されるプロトコルであるストリーム制御伝送プロトコル（ＳＣＴＰ：stream control transmission protocol）レイヤ６０４の上に実装される。ＩＰは、レイヤ１（Ｌ１）またはハードウェアレイヤ６１０の上に構築されるレイヤ２プロトコル（Ｌ２）レイヤ６０８の上に構築される。
【００６０】
[0075]図７に、ＷＬＡＮ  ＡＰ５０２とｅＮＢ５０４との間のオフロード構成を管理するために使用され得る、ユーザプレーンのための例示的なＸｗインターフェースプロトコルアーキテクチャ７００を示す。図示のように、汎用パケット無線サービス（ＧＰＲＳ：general packet radio service）トンネリングプロトコル（ＧＴＰ：GPRS tunneling protocol）レイヤ７０２は、インターネットプロトコル（ＩＰ）レイヤ６０６の上に構築されるプロトコルであるユーザデータグラムプロトコル（ＵＤＰ：user datagram protocol）レイヤ７０４の上に実装される。ＩＰは、レイヤ１（Ｌ１）またはハードウェアレイヤ６１０の上に構築されるレイヤ２プロトコル（Ｌ２）レイヤ６０８の上に構築される。
【００６１】
[0076]いくつかの態様によれば、初期ベアラオフロード（INITIAL BEARER OFFLOAD）プロシージャおよびベアラオフロード変更（MODIFY BEARER OFFLOAD）プロシージャというＸｗインターフェースを介した２つのプロシージャがデータオフローディングおよびハンドオーバのために使用され得る。初期ベアラオフロードプロシージャは、ＷＬＡＮ基地局（たとえば、Ｗｉ−Ｆｉ  ＡＰ）へのＷＷＡＮ基地局（たとえば、ｅＮＢ）を介した現在サービスされているベアラのオフローディングを開始するために使用され得る。ベアラオフロード変更プロシージャは、ＷＷＡＮ基地局からＷＬＡＮ基地局にオフロードされるＵＥのためのデータベアラにデータベアラを追加または削除することを要求するために使用され得る（たとえば、ＵＥは、前に初期ベアラオフロードプロシージャに関連付けられた）。
【００６２】
[0077]いくつかの態様によれば、初期ベアラオフロードプロシージャは、本明細書で説明するように、ＵＥがＡＰに関連した後初めて、ＡＰへのＵＥのためのベアラのオフローディングを要求するためにｅＮＢによって使用され得る。
【００６３】
[0078]図８に、初期ベアラオフロードプロシージャのための例示的なコールフロー８００を示す。図示のように、ｅＮＢ５０４は、ＵＥに関する情報と、オフロードされるように要求されたＵＥのベアラのリストとをもつ初期ベアラオフロード要求（INITIAL BEARER OFFLOAD REQUEST）メッセージをＡＰ５０２に送る。ＡＰは、次いで、ｅＮＢからの初期ベアラオフロード要求メッセージに応答して、承認されたベアラのリストをもつ初期ベアラオフロード応答（INITIAL BEARER OFFLOAD RESPONSE）メッセージをｅＮＢに送る。いくつかの態様によれば、ＡＰは、たとえば、ＡＰの承認ポリシーにより、初期ベアラオフロード要求メッセージにリストされているベアラのすべてを含むとは限らないデータベアラのリストを承認することがある。たとえば、ｅＮＢは、ＡＰへの初期ベアラオフロード要求メッセージで電子メールアプリケーションのためのデータベアラとソーシャルネットワーキングアプリケーションのためのデータベアラとをオフロードすることを要求し得、ＡＰは、ＡＰの承認ポリシーにより、電子メールアプリケーションのためのデータベアラを承認するが、ソーシャルネットワーキングアプリケーションのためのデータベアラを承認しないことがある。本例では、ＡＰは、電子メールアプリケーションのためのデータベアラを初期ベアラオフロード応答に含めるが、ソーシャルネットワーキングアプリケーションのためのデータベアラを含めないであろう。
【００６４】
[0079]いくつかの態様によれば、ベアラオフロード変更プロシージャは、本明細書で説明するように、ＡＰにオフロードされるＵＥのためのデータベアラにデータベアラを追加または削除することを要求するためにｅＮＢによって使用され得る。
【００６５】
[0080]図９に、ベアラオフロード変更プロシージャのための例示的なコールフロー９００を示す。図示のように、ｅＮＢ５０４は、ＵＥの識別子と、変更されるように要求されたベアラのリストとを含むベアラオフロード変更要求（MODIFY BEARER OFFLOAD REQUEST）メッセージをＡＰ５０２に送る。ＡＰは、次いで、ｅＮＢからのベアラオフロード変更要求メッセージに応答して、承認されたベアラの新しいリストをもつベアラオフロード変更応答（MODIFY BEARER OFFLOAD RESPONSE）メッセージをｅＮＢに送り得る。いくつかの態様によれば、ＡＰは、前のオフロードリストからのベアラの削除を拒否しないことがある。たとえば、ｅＮＢは、ＡＰへのベアラオフロード変更要求メッセージで、電子メールアプリケーションのためのデータベアラをオフロードすることを停止し、ソーシャルネットワーキングアプリケーションのためのデータベアラのオフローディングを開始することを要求し得る。本例では、ＡＰは、電子メールアプリケーションのためのデータベアラのオフローディングを停止し、ＡＰは、ＡＰの承認ポリシーに応じて、ソーシャルネットワーキングアプリケーションのためのデータベアラのためにオフローディングを開始したいという要求を拒否し得る。また本例では、ＡＰは電子メールアプリケーションのためのデータベアラを初期ベアラオフロード応答メッセージに含めないであろうが、ＡＰがソーシャルネットワーキングアプリケーションのためのデータベアラの承認を拒否しない場合、初期ベアラオフロード応答メッセージはソーシャルネットワーキングアプリケーションのためのデータベアラを含むであろう。
【００６６】
[0081]明快のために、ＬＴＥハンドオーバプロシージャとＷＬＡＮハンドオーバプロシージャとは、本開示では独立および分離したものとして扱われるが、開示する方法および装置はそのように限定されない。たとえば、初期ベアラオフロードプロシージャおよびベアラオフロード変更プロシージャは、ＬＴＥハンドオーバが、ＷＬＡＮハンドオーバを開始するようにネットワークをトリガする、ネットワークにおいて使用され得る。
【００６７】
[0082]いくつかの態様によれば、ＬＴＥモビリティプロシージャは、以下で説明するようにＸ２メッセージ中の新しいＷｉ−Ｆｉ関係情報を除いて、前の規格（たとえば、Ｒｅｌ−８）から不変であり得る。Ｗｉ−ＦｉモビリティはＵＥ駆動型であり得、すなわち、ＵＥは、自律的にＡＰに関連し、関連付けを解除し、これらの関連付け変更をサービングｅＮＢに報告し得、サービングｅＮＢは、関連付け変更に基づいてデータトラフィックルーティング決定を行い得る。たとえば、ｅＮＢによってサービスされるＵＥは、ＵＥが移動し、第１のＡＰから関連付けを解除し、第２のＡＰに関連するとき、第１のＡＰにオフロードされたデータベアラを有し得る。本例では、ＵＥは、第１のＡＰからの関連付け解除（dissociation）と第２のＡＰへの関連付けとを報告し、ｅＮＢは、第１のＡＰを用いたベアラのオフローディングを停止するために第１のＡＰとのベアラオフロード変更プロシージャを使用し、第２のＡＰを用いたベアラのオフローディングを開始するために初期ベアラオフロードプロシージャを使用する。
【００６８】
[0083]いくつかの態様によれば、ＵＥは、ＡＰとの関連付けのために自律決定を行い、関連付け報告でサービングｅＮＢへの関連付けを報告し得る。関連付け報告はＡＰについての測定値を含み得る。たとえば、ＵＥは、新たに関連付けられたＡＰについての信号強度測定値をＵＥのサービングｅＮＢへの関連付け報告に含め得る。いくつかの態様によれば、ｅＮＢは、ＡＰに関するＵＥ測定値報告に基づいて、ＵＥのデータベアラをＡＰにオフロードするための決定を行い得る。本例では、ＵＥは、それがＡＰから比較的高い信号強度を受信していることを報告し得、ｅＮＢは、報告された信号強度に基づいて、ＵＥのためのデータベアラをＡＰにオフロードすることを決定し得る。
【００６９】
[0084]いくつかの態様によれば、ｅＮＢは、Ｘｗインターフェースを介してＡＰへのオフローディングを要求し得、肯定応答を得た後に、ｅＮＢは、ＲＲＣシグナリングを介して、ＵＥのデータベアラの一部または全部をオフロードするようにＵＥを構成し得る。たとえば、ｅＮＢは、ＡＰへのＵＥのデフォルトベアラのオフローディングを要求する初期ベアラオフロード要求メッセージをＡＰに送り得る。本例では、初期ベアラオフロード要求メッセージはＵＥの識別子とデフォルトベアラの識別子とを含む。また本例では、ＡＰは、それがＵＥのデフォルトベアラを承認することを決定し、ＡＰがＵＥのデフォルトベアラを承認することを示す初期ベアラオフロード応答メッセージをｅＮＢに送り得る。さらに本例では、ｅＮＢは、次いで、ＵＥのデフォルトベアラをＡＰにオフロードするために、ＵＥにＲＲＣシグナリングを送る。
【００７０】
[0085]図１０に、ＡＰ１  ５０２ａからＡＰ２  ５０２ｂへのＵＥ５０８のＷｉ−Ｆｉハンドオーバのための例示的なコールフロー１０００を示す。項目１〜７は、ＡＰ１からの関連付け解除とＡＰ１へのベアラオフローディングの停止とを示す。項目８〜１５は、ＡＰ２との関連付けとＡＰ２へのベアラオフローディングの開始とを示す。項目８〜１５はまた、ＵＥによるＡＰ２への初期関連付けとＡＰ２へのベアラオフローディングの開始とのためのプロシージャに対応する。
【００７１】
[0086]図１０のコールフローを参照すると、１において、ＵＥ５０８は、ｅＮＢ５０４によってサービスされ、ＡＰ１  ５０２ａに関連付けられており、少なくとも１つのベアラがＡＰ１にオフロードされる。２において、ＵＥは、たとえば、ＵＥのモビリティによりＡＰ１から関連付けを解除する。３において、ＵＥは、ＵＥがＡＰ１に関連し続けることが可能でなくなることを示すＵＥによるＡＰ１の測定値を報告する、関連付け報告をｅＮＢに送る。測定値報告は、たとえば、ＡＰ１から受信された信号強度がしきい値を下回ったことを示し得る。４において、ｅＮＢは、図９に関して上記で説明したように、ベアラオフロード変更要求メッセージをＡＰ１に送る。ベアラオフロード変更要求メッセージは、ＵＥのすべてのベアラをサービスすることを停止するようにＡＰ１に指示する。５において、ＡＰ１は、４においてｅＮＢが送ったベアラオフロード変更要求メッセージに応答して、図９に関して上記で説明したように、ベアラオフロード変更応答メッセージをｅＮＢに送る。ベアラオフロード変更応答メッセージは、ＡＰ１がもはやＵＥのベアラをサービスしていないことを示す。６において、ｅＮＢは、ＵＥのベアラのすべてがｅＮＢによってサービスされるようになることをＵＥに示すＲＲＣ接続再構成メッセージをＵＥに送る。７において、ＵＥは、ＵＥが、６においてｅＮＢによって要求されたＲＲＣ再構成を完了したことを示す、ＲＲＣ接続再構成完了メッセージをｅＮＢに送る。
【００７２】
[0087]まだ図１０のコールフローを参照すると、８において、ＵＥ５０８はＡＰ２  ５０２ｂに関連する。９において、ＵＥは、ＵＥとＡＰ２との間の接続の品質を示すＵＥによるＡＰ２の測定値を報告する、関連付け報告をｅＮＢ５０４に送る。１０において、ｅＮＢは、ＡＰ２へのベアラのオフローディングを開始することを決定する。１１において、ｅＮＢは、図８に関して上記で説明したように、初期ベアラオフロード要求メッセージをＡＰ２に送る。初期ベアラオフロード要求メッセージは、ＵＥと、ＡＰ２がサービスするように要求されたＵＥのベアラとを識別する。１２において、ＡＰ２は、図８に関して上記で説明したように、初期ベアラオフロード応答メッセージをｅＮＢに送る。初期ベアラオフロード応答メッセージは、ＡＰ２がどのベアラを承認しており、サービスし始めるかを示す。１３において、ｅＮＢは、ＡＰ２が承認しており、サービスすることになるベアラのリストをＵＥに示す、ＲＲＣ接続再構成メッセージをＵＥに送る。１４において、ＵＥは、ＵＥが、１３においてｅＮＢによって要求されたＲＲＣ再構成を完了したことを示す、ＲＲＣ接続再構成完了メッセージをｅＮＢに送る。１５において、ＵＥは、ｅＮＢによっておよびＡＰ２によってサービスされており、少なくとも１つのベアラがＡＰ２によってサービスされている。
【００７３】
[0088]図１０の例示的なコールフロー１０００は、ＡＰ１  ５０２ａとＡＰ２  ５０２ｂとがｅＮＢ５０４と論理的にコロケートされない場合のコールフローを示している。ＡＰ１がｅＮＢと論理的にコロケートされる場合、ステップ４および５は使用されない。すなわち、論理的にコロケートされたｅＮＢとＡＰ１との単一のコントローラが、ステップ４および５に示されたＸｗメッセージを使用せずにデータベアラを再ルーティングする。ＡＰ２がｅＮＢと論理的にコロケートされる場合、ステップ１１および１２は使用されない。すなわち、論理的にコロケートされたｅＮＢとＡＰ２との単一のコントローラが、ステップ１１および１２に示されたＸｗメッセージを使用せずにデータベアラを再ルーティングする。
【００７４】
[0089]いくつかの態様によれば、ｅＮＢとＡＰとの相互作用に参加しているＵＥのｅＮＢ間ハンドオーバの場合、ソースｅＮＢは、標準（たとえば、Ｒｅｌ−８）ＬＴＥハンドオーバプロシージャに従ってＸ２インターフェースを介してターゲットｅＮＢと通信し得る。ただし、標準ＬＴＥハンドオーバとの以下の相違を開示する。
【００７５】
【表１】
2016539546.tif 000003
【００７６】
[0090]いくつかの態様によれば、ＬＴＥハンドオーバが完了するまで、ＡＰにおける構成されたトラフィックオフローディングは保持され得、すなわち、ＡＰにおけるデータベアラの構成はＬＴＥハンドオーバ中に変更されないことがある。ＵＥは、依然として、ソースｅＮＢによって構成されたデータベアラ上でＷｉ−Ｆｉ  ＡＰに送信し得、Ｗｉ−Ｆｉ  ＡＰは、ソースｅＮＢから受信されたこのＵＥのためのトラフィックを送信し得る。
【００７７】
[0091]いくつかの態様によれば、ハンドオーバが成功した（たとえば、ＨＯ完了（HO Complete）メッセージがターゲットｅＮＢによって受信された）後、ターゲットｅＮＢは、ソースｅＮＢから取得された情報に基づいてＡＰとのオフローディングを構成し得る。ターゲットｅＮＢが、ＡＰにおいてオフロードされたデータベアラの同じセットを保持する場合、新しいＲＲＣ構成はＵＥのために必要とされないことがある。ターゲットｅＮＢが、ＡＰとの初期ベアラオフロードプロシージャ中に、オフロードされるデータベアラを変更した場合、ターゲットｅＮＢはＲＲＣ再構成メッセージをＵＥに送り得る。
【００７８】
[0092]いくつかの態様によれば、ソースｅＮＢは、ソースｅＮＢが、オフロードされたトラフィックのためのＳ１−ＵベアラがターゲットｅＮＢに切り替えられたという指示を受信するまで、オフロードされたデータベアラのためのトラフィックをＡＰにフォワーディングし続け得る。ソースｅＮＢは、次いで、パケットをターゲットｅＮＢとＡＰの両方にフォワーディングすることを停止し得る。
【００７９】
[0093]図１１に、ＵＥ５０８が、依然としてＡＰ５０２に接続されながら、ｅＮＢ１  ５０４ａのカバレージからｅＮＢ２  ５０４ｂに移動する、ＬＴＥハンドオーバのための例示的なコールフロー１１００を示す。１において、ＵＥは、ｅＮＢ１によってサービスされ、ＡＰに関連付けられており、少なくとも１つのベアラがＡＰにオフロードされる。２において、ＵＥは、ｅＮＢ１への接続が（たとえば、弱い信号強度または干渉により）不良状態にあり、ＵＥが他のセルの信号を測定し始めるべきであることを検出する。これはイベントＡ３発生と呼ばれる。３において、ＵＥは、ｅＮＢ２が、ＵＥがそれにハンドオーバすることができる好適なセルであることを示す、測定値報告をｅＮＢ１に送る。４において、ｅＮＢ１は、ｅＮＢ１がＵＥをｅＮＢ２にハンドオーバすることを要求するハンドオーバ要求メッセージをｅＮＢ２に送る。上記で説明したように、ハンドオーバ要求メッセージは、ＡＰの識別子と、ＡＰにオフロードされたベアラのリストとを含む。５において、ｅＮＢ２は、ｅＮＢ２がＵＥのハンドオーバを受け入れることを示すハンドオーバ要求肯定応答（HANDOVER REQUEST ACKNOWLEDGMENT）（ＡＣＫ）メッセージを送る。ハンドオーバ要求ＡＣＫは、オフロードされたベアラのためのＲＲＣ構成のためのトランスペアレントコンテナを含む。６において、ｅＮＢ１は、ＵＥがｅＮＢ２にハンドオーバすべきであることを示す、ハンドオーバ（ＨＯ）コマンドを含むＲＲＣ接続再構成メッセージをＵＥに送る。７において、ｅＮＢ１は、ＡＰにオフロードされたベアラを含むＵＥのすべてのベアラのためのステータス転送メッセージをｅＮＢ２に送る。また７において、ｅＮＢ１は、ＬＴＥベアラを介して転送されるパケットをｅＮＢ２にフォワーディングし始める。ｅＮＢ１は、オフロードされたベアラを介して転送されるパケットをＡＰにフォワーディングし続ける。８において、ｅＮＢ２は、図８に関して上記で説明したように、初期ベアラオフロード要求メッセージをＡＰに送る。９において、ＡＰは、図８に関して上記で説明したように、初期ベアラオフロード応答メッセージをｅＮＢ２に送る。１０において、ＵＥは、ＵＥがｅＮＢ１からｅＮＢ２へのハンドオーバを完了したことを示すＲＲＣ接続再構成完了メッセージをｅＮＢ２に送る。１１において、ｅＮＢ２は経路切替え要求メッセージをネットワークのためのモビリティ管理エンティティ（ＭＭＥ）５１０に送り、ＭＭＥ５１０は、次いで、ＵＥに関連付けられたＳ１−ＵインターフェースをｅＮＢ１からｅＮＢ２に切り替えるようにサービングゲートウェイ（ＳＧＷ）５１２を構成する。１２において、ＭＭＥは経路切替え要求ＡＣＫメッセージをｅＮＢ２に送る。この時点で、ｅＮＢ２は、Ｓ−ＧＷからオフロードされたベアラのためのパケットを受信し始め、それらをバッファすることになる。しかしながら、ＡＰは、依然としてｅＮＢ１と相互作用するように構成され、オフロードされたベアラのためのＵＥから受信されたパケットはＡＰによってｅＮＢ１にフォワーディングされ得る。１３において、ｅＮＢ２は、ＵＥのＬＴＥハンドオーバを完了するためにＵＥコンテキスト解放（UE CONTEXT RELEASE）メッセージをｅＮＢ１に送る。このメ���セージは、ｅＮＢ１がＵＥのためのＡＰとの相互作用を中止すべきであることをｅＮＢ１に示し、ｅＮＢ１は、図９に関して上記で説明したように、ベアラのオフローディングを中止するためにベアラオフロード変更要求メッセージを使用することになる。この時点で、ＡＰは、ＵＥのためにｅＮＢ２と相互作用するように構成され、ＡＰがＵＥから受信したオフロードされたベアラのためのデータはｅＮＢ２にフォワーディングされることになる。ＡＰがＬＴＥ  ｅＮＢであるとき（これは、ＡＰ１およびＡＰ２をＬＴＥ  ｅＮＢとしてもつ、図１０に示されているのと同様のシステムであろう）、同様のコールフローが適用可能である。
【００８０】
[0094]図１１に示されたコールフローでは、ＡＰ５０２は、ターゲットｅＮＢ２  ５０４ｂまたはソースｅＮＢ１  ５０４ａのいずれとも論理的にコロケートされていない。ＡＰがｅＮＢ１と論理的にコロケートされる場合、コールフローの変更はない。しかしながら、ＡＰがｅＮＢ２と論理的にコロケートされる場合、ステップ９および１０は、コロケートされたＡＰとｅＮＢ２とのプロセッサ／コントローラによって実行されることになり、ステップ９および１０のメッセージはＸｗインターフェースを介して送られないことになる。ＡＰがｅＮＢであり、ＸｗインターフェースがＸ２インターフェースと置き換えられるとき、同様のコールフローが適用可能である。
【００８１】
[0095]いくつかの態様によれば、無線リンク障害（ＲＬＦ：radio link failure）が起こった場合、ソースｅＮＢまたはターゲットｅＮＢのいずれかにおいて、ＵＥは、すべてのベアラを中断し、新しいセルを再選択し得る。新しいセルは、本明細書で説明する動作を使用することによって、ＡＰとのデータベアラオフローディングを再構成し得る。
【００８２】
[0096]図１２に、第１の無線アクセス技術（ＲＡＴ）の基地局において第２のＲＡＴの基地局間でＵＥのために構成されたデータベアラを切り替えるための例示的な動作１２００を示す。たとえば、ｅノードＢまたは他のタイプの基地局／アクセスポイントが動作１２００を実行し得る。１２０２において、第１のＲＡＴの基地局は、第２のＲＡＴの第１の基地局によってサービスされるユーザ機器（ＵＥ）のために構成された複数のデータベアラを識別する。１２０４において、第１のＲＡＴの基地局は、第２のＲＡＴの第２の基地局を識別する測定値報告をＵＥから受信する。１２０６において、第１のＲＡＴの基地局は、測定値報告に基づいて、第２のＲＡＴの第２の基地局にオフロードすべきデータベアラのうちの１つまたは複数を識別する。１２０８において、第１のＲＡＴの基地局は、識別されたデータベアラを第２のＲＡＴの第２の基地局にオフロードするために第２のＲＡＴの第１の基地局および第２の基地局と通信する。１２１０において、第１のＲＡＴの基地局は、識別されたデータベアラを送信および受信するために第２のＲＡＴの第２の基地局を使用するようにＵＥを構成する。
【００８３】
[0097]図１３に、第２の無線アクセス技術（ＲＡＴ）の基地局によってサービスされるデータベアラをもつＵＥを第１のＲＡＴの基地局から第１のＲＡＴのターゲット基地局にハンドオーバするための例示的な動作１３００を示す。たとえば、ｅノードＢまたは他のタイプの基地局／アクセスポイントが動作１３００を実行し得る。１３０２において、第１のＲＡＴの基地局は、ユーザ機器（ＵＥ）から、第１のＲＡＴのターゲット基地局を識別する測定値報告を受信する。１３０４において、第１のＲＡＴの基地局は、ＵＥが第２のＲＡＴの基地局と相互作用していると決定する。１３０６において、第１のＲＡＴの基地局は、ターゲット基地局にハンドオーバ要求を送り、ハンドオーバ要求は、第２のＲＡＴの基地局と、第２のＲＡＴの基地局によってサービスされるＵＥのために構成された少なくとも１つのデータベアラとを識別する情報を含む。１３０８において、第１のＲＡＴのＢＳは、第２のＲＡＴの基地局と相互作用し続けながらターゲット基地局にハンドオーバするようにＵＥを構成する。１３１０において、第１のＲＡＴの基地局は、ハンドオーバが完了するまで、識別された少なくとも１つのデータベアラのためのデータをターゲット基地局にフォワーディングする。１３１２において、第１のＲＡＴのＢＳは、第１のＲＡＴの基地局が識別された少なくとも１つのデータベアラのためのデータをターゲット基地局にフォワーディングすることを終了するという指示をターゲット基地局に送る。
【００８４】
[0098]図１４に、第２の無線アクセス技術（ＲＡＴ）の基地局によってサービスされるデータベアラをもつＵＥを第１のＲＡＴのソース基地局から第１のＲＡＴの基地局にハンドオーバするための例示的な動作１４００を示す。たとえば、ｅノードＢまたは他のタイプの基地局／アクセスポイントが動作１４００を実行し得る。１４０２において、第１のＲＡＴの基地局は、第１のＲＡＴのソース基地局から、ユーザ機器（ＵＥ）をハンドオーバしたいというハンドオーバ要求を受信し、ハンドオーバ要求は、第２のＲＡＴの基地局と、第２のＲＡＴの基地局によってサービスされるＵＥのために構成された少なくとも１つのデータベアラとを識別する情報を含む。１４０４において、第１のＲＡＴの基地局は、ハンドオーバが完了するまで、ソース基地局から識別された少なくとも１つのデータベアラのためのデータを受信する。１４０６において、基地局は、識別されたデータベアラをオフロードしたいという要求を第２のＲＡＴの基地局に送る。
【００８５】
[0099]上記で説明した方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。概して、図に示された動作がある場合、それらの動作は、同様の番号をもつ対応するカウンターパートのミーンズプラスファンクション構成要素を有し得る。
【００８６】
[0100]本明細書で使用する「決定すること」という用語は、多種多様なアクションを包含する。たとえば、「決定すること」は、計算すること、算出すること、処理すること、導出すること、調査すること、ルックアップすること（たとえば、テーブル、データベースまたは別のデータ構造においてルックアップすること）、確認することなどを含み得る。また、「決定すること」は、受信すること（たとえば、情報を受信すること）、アクセスすること（たとえば、メモリ中のデータにアクセスすること）などを含み得る。また、「決定すること」は、解決すること、選択すること、選定すること、確立することなどを含み得る。
【００８７】
[0101]本明細書で使用する、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃを包含するものとする。
【００８８】
[0102]上記で説明した方法の様々な動作は、（１つまたは複数の）様々なハードウェアおよび／またはソフトウェア構成要素、回路、および／または（１つまたは複数の）モジュールなど、それらの動作を実行することが可能な任意の好適な手段によって実行され得る。概して、図に示されたどの動作も、その動作を実行することが可能な対応する機能的手段によって実行され得る。
【００８９】
[0103]本開示に関連して説明した様々な例示的な論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００９０】
[0104]本開示に関連して説明した方法またはアルゴリズムのステップは、ハードウェアで直接実施されるか、プロセッサによって実行されるソフトウェアモジュールで実施されるか、またはその２つの組合せで実施され得る。ソフトウェアモジュールは、当技術分野で知られている任意の形態の記憶媒体中に常駐し得る。使用され得る記憶媒体のいくつかの例としては、ランダムアクセスメモリ（ＲＡＭ）、読取り専用メモリ（ＲＯＭ）、フラッシュメモリ、ＥＰＲＯＭメモリ、ＥＥＰＲＯＭ（登録商標）メモリ、レジスタ、ハードディスク、リムーバブルディスク、ＣＤ−ＲＯＭなどがある。ソフトウェアモジュールは、単一の命令または多数の命令を備え得、いくつかの異なるコードセグメント上で、異なるプログラム間で、および複数の記憶媒体にわたって分散され得る。記憶媒体は、プロセッサがその記憶媒体から情報を読み取ることができ、その記憶媒体に情報を書き込むことができるように、プロセッサに結合され得る。代替として、記憶媒体はプロセッサと一体であり得る。
【００９１】
[0105]本明細書で開示した方法は、説明した方法を達成するための１つまたは複数のステップまたはアクションを備える。本方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は特許請求の範囲から逸脱することなく変更され得る。
【００９２】
[0106]説明した機能は、ハードウェア、ソフトウェア、ファームウェアまたはそれらの任意の組合せで実装され得る。ソフトウェアで実装される場合、機能は１つまたは複数の命令としてコンピュータ可読媒体上に記憶され得る。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ここで、ディスク（disk）は、通常、データを磁気的に再生し、ディスク（disc）は、データをレーザーで光学的に再生する。
【００９３】
[0107]したがって、いくつかの態様は、本明細書で提示した動作を実行するためのコンピュータプログラム製品を備え得る。たとえば、そのようなコンピュータプログラム製品は、本明細書で説明した動作を実行するために１つまたは複数のプロセッサによって実行可能である命令を記憶した（および／または符号化した）コンピュータ可読媒体を備え得る。いくつかの態様では、コンピュータプログラム製品はパッケージング材料を含み得る。
【００９４】
[0108]ソフトウェアまたは命令はまた、伝送媒体を介して送信され得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、伝送媒体の定義に含まれる。
【００９５】
[0109]さらに、本明細書で説明した方法および技法を実行するためのモジュールおよび／または他の適切な手段は、適用可能な場合にユーザ端末および／または基地局によってダウンロードされ、および／または他の方法で取得され得ることを諒解されたい。たとえば、そのようなデバイスは、本明細書で説明した方法を実行するための手段の転送を可能にするためにサーバに結合され得る。代替的に、本明細書で説明した様々な方法は、ユーザ端末および／または基地局が記憶手段をデバイスに結合するかまたは与えると様々な方法を得ることができるように、記憶手段（たとえば、ＲＡＭ、ＲＯＭ、コンパクトディスク（ＣＤ）またはフロッピーディスクなどの物理記憶媒体など）によって提供され得る。その上、本明細書で説明した方法および技法をデバイスに提供するための任意の他の好適な技法が利用され得る。
【００９６】
[0110]特許請求の範囲は、上記で示した厳密な構成および構成要素に限定されないことを理解されたい。上記で説明した方法および装置の構成、動作および詳細において、特許請求の範囲から逸脱することなく、様々な改変、変更および変形が行われ得る。
【００９７】
[0111]上記は本開示の態様を対象とするが、本開示の他の態様およびさらなる態様は、それの基本的範囲から逸脱することなく考案され得、それの範囲は以下の特許請求の範囲によって決定される。
【図１】
2016539546.tif 000004
【図２】
2016539546.tif 000005
【図３】
2016539546.tif 000006
【図４】
2016539546.tif 000007
【図５】
2016539546.tif 000008
【図６】
2016539546.tif 000009
【図７】
2016539546.tif 000010
【図８】
2016539546.tif 000011
【図９】
2016539546.tif 000012
【図１０】
2016539546.tif 000013
【図１１】
2016539546.tif 000014
【図１２】
2016539546.tif 000015
【図１３】
2016539546.tif 000016
【図１４】
2016539546.tif 000017
【国際調査報告】
2016539546.tif 000018
2016539546.tif 000019
2016539546.tif 000020
2016539546.tif 000021
2016539546.tif 000022
2016539546.tif 000023
2016539546.tif 000024